(57)【要約】【課題】ユーザ設定によるスキャン時、またはオートモードによるスキャン時に、各パラメータの制限範囲内で、ユーザが最適と考える処理中の負担を決めることができ、つまり、画像サイズを優先すると、総データ容量を指定し、複数枚の原稿をスキャンする場合にも制限内で最適な画像を得ることができ、スキャン時間を優先すると、時間内に収まるように、画像処理を自動で設定する画像入力装置を提供することを目的とするものである。【解決手段】ユーザ設定によるスキャン時、またはオートモードによるスキャン時に、ユーザの優先するパラメータが、画像サイズであるのか、スキャン時間であるのかを、ユーザが選択し、この選択されたパラメータに基づいて、スキャンする画像入力装置である。【選択図】図６
2008147996.tif 000002
【特許請求の範囲】
【請求項１】
原稿の画像をスキャン読取する読取手段と上記読取手段が出力する画像信号を外部機器に転送する転送手段とを具備する画像入力装置と、上記転送手段に接続される外部機器とを有する画像入力システムにおいて、
ユーザが、画像のデータサイズ、スキャン読取時間の何れを優先するかを設定する設定手段と；
上記設定手段での設定に基づいて、スキャンパラメータを算出するスキャンパラメータ算出手段と；
上記スキャンパラメータに応じて上記スキャン読取を制御する制御手段と；
を有することを特徴とする画像入力システム。
【請求項２】
請求項１において、
上記制御手段は、上記読取手段が上記原稿の前スキャン読取を行い、上記前スキャン読取で取得した前スキャン読取画像から、本スキャン読取範囲を決定する制御を行うことを特徴とする画像入力システム。
【請求項３】
請求項２において、
ユーザに画像を表示する画像表示手段と；
ユーザが画像の範囲を指定する範囲指定手段と；
を有し、上記制御手段は、上記前スキャン読取画像を上記画像表示手段に表示し、上記表示手段に表示された上記前スキャン読取画像上で上記範囲指定手段を用いて上記本スキャン読取範囲を決定する制御を行うことを特徴とする画像入力システム。
【請求項４】
請求項２又は請求項３において、
上記設定手段による設定が、画像のデータサイズであれば、１度のスキャン読取で得られる画像の総データサイズをユーザが指定する総データサイズ指定手段と；
上記本スキャン読取範囲に応じて、解像度を決定する解像度決定手段と；
を有することを特徴とする画像入力システム。
【請求項５】
請求項４において、
上記解像度決定手段で決定される解像度を、ユーザが指定する解像度の刻み幅又は、上記読取手段の基本解像度に応じて決定することを特徴とする画像入力システム。
【請求項６】
請求項４において、
上記本スキャン読取範囲が複数のスキャン読取範囲で構成されている場合、各スキャン読取範囲から得られる画像データのデータサイズが同じになるようにスキャン読取範囲毎に解像度を計算するのか、全スキャン読取範囲の解像度を同じにするのかを指定する解像度指定手段を有することを特徴とする画像入力システム。
【請求項７】
請求項４において、
１つのスキャン読取範囲当たりの最大データサイズを指定する手段を有することを特徴とする画像入力システム。
【請求項８】
請求項４において、
上記解像度決定手段にて解像度決定の際に、画質と、速度の何れを優先するかのパラメータを、上記画像入力装置又は外部装置において指定する指定手段を有し、
画質優先が指定された場合、上記画像入力装置でのスキャン読取を高解像度側の基本解像度で行い、上記外部装置にデータを転送し、上記外部装置内で、最終的に必要な解像度に、解像度を下げる縮小処理を行い、
速度優先が指定された場合、上記画像入力装置でのスキャン読取を低解像度側の基本解像度で行い、上記外部装置にデータを転送し、上記外部装置内で、最終的に必要な解像度に、解像度を上げる拡大処理を行うことを特徴とする画像入力システム。
【請求項９】
請求項２又は請求項３において、
上記設定手段による設定が、画像のデータサイズである場合、１度にスキャン読取する画像の総データサイズをユーザが指定する総データサイズ指定手段と；
上記画像入力装置でのスキャン読取解像度をユーザが指定する解像度指定手段と；
上記ユーザ指定の解像度で最終スキャン読取範囲に応じたスキャン読取を行い、ユーザ指定の総データサイズを超えると、圧縮率を決定する圧縮率決定手段と；
を有することを特徴とする画像入力システム。
【請求項１０】
請求項２において、
上記前スキャン読取画像から、上記原稿の範囲と種類とを、上記画像入力装置又は外部装置において検出する範囲と種類検出手段と；
上記範囲と種類検出手段の出力に応じて、読取解像度と画像処理とを決定してスキャン読取するオートモード手段と；
を有することを特徴とする画像入力システム。
【請求項１１】
請求項１０において、
上記設定手段による設定がスキャン読取時間である場合、スキャン読取終了までにかかる時間を、ユーザが設定する時間設定手段と；
上記オートモード手段によるスキャン読取を行った場合に上記時間設定手段で指定された時間に収まらないと推定される場合に、解像度を下げてスキャン読取し、設定時間内に収まるように変更する時間変更手段と；
を有することを特徴とする画像入力システム。
【請求項１２】
請求項１０において、
上記設定手段による設定がスキャン読取時間である場合、スキャン読取終了までにかかる時間をユーザが設定する時間設定手段と；
上記オートモード手段によるスキャン読取を行った場合に上記時間設定手段で指定された時間に収まらないと推定される場合に、画像処理をスキップし、設定時間内に収まるように変更する手段と；
を有することを特徴とする画像入力システム。
【請求項１３】
請求項１０において、
上記設定手段による設定がスキャン読取時間である場合、スキャン読取終了までにかかる時間をユーザが設定する時間設定手段と；
上記オートモード手段によるスキャン読取を行った場合に上記時間設定手段で指定された時間に収まらないと推定される場合に、スキャン読取を開始する前に、解像度を下げるか時間のかかる画像処理をスキップするかを、ユーザに選択させるダイアログを提示する手段と；
を有すること特徴とする画像入力システム。
【請求項１４】
請求項１０において、
上記設定手段による設定がスキャン読取時間である場合、スキャン読取終了までにかかる時間をユーザが設定する時間設定手段と；
上記オートモード手段を実行する際に、ユーザが優先的に行いたい画像処理を指定する手段と；
上記オートモード手段によるスキャン読取を行った場合に上記時間設定手段で指定された時間に収まらないと推定される場合に、優先設定された画像処理以外をスキップすることによって指定時間内に収めるスキャン読取を行う手段と；
を有することを特徴とする画像入力システム。
【請求項１５】
請求項１０において、
上記設定手段による設定がスキャン読取時間である場合、スキャン読取終了までにかかる時間をユーザが設定する時間設定手段と；
上記オートモード手段によるスキャン読取を行う場合、上記範囲と種類検出手段で検出された原稿の種類と範囲から上記時間設定手段で指定された時間に収まらないと推定される場合に、警告を表示し、そのままスキャン読取を継続するか、表示手段に表示された上記前スキャン読取画像からスキャン読取を行う範囲を選択させるかを、ユーザに選択させる手段と；
を有することを特徴とする画像入力システム。
【請求項１６】
請求項１１から請求項１５のいずれか１項において、
スキャン読取開始後にも、スキャン読取の状況を継続的に監視する手段と；
上記時間設定手段での設定時間を越えるかどうかを判別する判別手段と；
スキャン読取途中に上記設定時間を越えると、上記判別手段が判断した場合、時間以内に送信が終了するように、解像度を下げてデータサイズを落として送信するかどうかをユーザが選択できるダイアログを表示する手段と；
を有することを特徴とする画像入力システム。
【請求項１７】
請求項１６において、
上記表示されているダイアログに応じて、解像度を落とすことをユーザが選択した場合、上記設定時間以内で送信できる範囲で一番大きい解像度に、スキャン読取画像を変倍して送信する手段を有することを特徴とする画像入力システム。
【請求項１８】
原稿の画像をスキャン読取する読取手段と上記読取手段が出力する画像信号を外部機器に転送する転送手段とを具備する画像入力装置と、上記転送手段に接続される外部機器とを有する画像入力システムの制御方法において、
ユーザが、画像のデータサイズ、スキャン読取時間の何れを優先するかを設定する設定工程と；
上記設定工程における設定に基づいて、スキャンパラメータを算出するスキャンパラメータ算出工程と；
上記スキャンパラメータに応じて上記スキャン読取を制御する制御工程と；
を有することを特徴とする画像入力システムの制御方法。
【請求項１９】
原稿の画像をスキャン読取する読取手段と上記読取手段が出力する画像信号を外部機器に転送する転送手段とを具備する画像入力装置と、上記転送手段に接続される外部機器とを有する画像入力システムを制御するプログラムにおいて、
ユーザが、画像のデータサイズ、スキャン読取時間の何れを優先するかを設定する設定手順と；
上記設定手順における設定に基づいて、スキャンパラメータを算出するスキャンパラメータ算出手順と；
上記スキャンパラメータに応じてスキャン読取するスキャン手順と；
を上記画像入力システムに実行させるプログラム。
【発明の詳細な説明】
【技術分野】
【０００１】
本発明は、画像読取装置の制御方法に係り、特に、ユーザが画像読取時に設定を行う場合の制御に関する。
【背景技術】
【０００２】
フラットベッドスキャナ、フィルムスキャナ、マルチファンクションプリンタ、複写機等の画像読取手段を備えた従来の装置では、スキャンを行うためのパラメータとして、輪郭強調、自動色調整、褪色補正、逆光補正等の色補正手段を備えている。
【０００３】
また、従来装置では、スキャンするエリアを指定するためのプレビュー画像に対するクロップ機能等を備えている。
【０００４】
さらに、従来装置では、プレスキャンによって原稿の種類や位置を自動的に判別するオートモード等の機能によって、ユーザは、細かな指定をせずに、スキャン画像を得ることができる。
【０００５】
また、コンピュータが自動的に画像処理する場合、画質優先モードであるか速度優先モードであるかを、ユーザが選択するシステムが提案されている（たとえば、特許文献１参照）。
【特許文献１】特開２０００−２４４６９７号公報
【発明の開示】
【発明が解決しようとする課題】
【０００６】
スキャンする際に、ユーザに重要な要素として、画質のほかに、画像のデータサイズやスキャン時間があげられる。
【０００７】
データサイズやスキャン時間を、ユーザが望みの通りに設定することが難しく、また双方を両立させることも難しい。
【０００８】
一般に、スキャナドライバでは、所望のエリアに対して、幅と高さ・解像度を設定すれば、それに見合ったデータサイズが決まる。これに対して、ＣＤ−Ｒ等のメディアにデータを記録保存し、Ｗｅｂアルバムにアップロードする目的で、複数原稿をスキャンする場合、総データサイズが重要である。この場合、通常の操作でユーザが目的のデータサイズに合わせて、幅と高さ・解像度を設定することは難しい。
【０００９】
一方、便利なオートモードでは、原稿判別処理や画像処理等に時間がかかり、スキャン終了までの時間（スキャン時間）を知ることができない。また、ネットワークスキャン時には、データ転送時間が不安定要素であり、しかもボトルネックである。このため、ユーザの待ち時間負担を考慮する設定を実行することができない。
【００１０】
本発明は、ユーザ設定によるスキャン時、又はオートモードによるスキャン時に、各パラメータの制限範囲内で、ユーザが最適と考える処理中の負担を決めることができる画像入力装置を提供することを目的とするものである。
【課題を解決するための手段】
【００１１】
本発明は、ユーザ設定によるスキャン時、又はオートモードによるスキャン時に、ユーザが重要視するパラメータを選択し、この選択されたパラメータに基づいて、スキャンする画像入力装置である。
【発明の効果】
【００１２】
本発明によれば、ユーザ設定によるスキャン時、又はオートモードによるスキャン時に、ユーザが重要視するパラメータを選択するので、各パラメータの制限範囲内で、ユーザが最適と考える処理中の負担を決めることができるという効果を奏する。
【発明を実施するための最良の形態】
【００１３】
発明を実施するための最良の形態は、次の実施例である。
【実施例１】
【００１４】
図１は、本発明の実施例１である画像読取装置１００の構成と外部機器とを示すブロック図である。
【００１５】
画像読取装置１００は、結像レンズ２と、ＣＣＤ（ラインセンサ）３と、アナログゲイン調整器４と、Ａ／Ｄ変換器５と、画像処理回路６と、ラインバッファ７と、インタフェース回路群８と、スキャナコントローラ９とを有する。また、画像読取装置１００は、内部光源ＯＮ／ＯＦＦ制御回路１０と、内部光源１１と、モータドライバ回路１２と、パルスモータ１３と、オフセットＲＡＭ１４と、ガンマＲＡＭ１５と、ＩＦ検出回路１６と、ＬＣＤ１８と、ＶＲＡＭ１９とを有する。
【００１６】
内部光源１１から照明された原稿１からの反射光は、結像レンズ２を通して、受光素子群であるＣＣＤ３上に結像する。ＣＣＤ３は、露光量の飽和を防ぐための電子シャッタ機能を内蔵している。
【００１７】
アナログゲイン調整器４は、ＣＣＤラインセンサ３から出力されたアナログ画像信号を可変増幅する。Ａ／Ｄ変換器５は、アナログゲイン調整器４から出力されたアナログ画像信号をディジタル画像信号に変換する。
【００１８】
画像処理回路６は、ディジタル信号化された画像信号に対してオフセット補正、シェーディング補正、デジタルゲイン調整、カラーバランス調整、マスキング、主・副走査方向の解像度変換等の画像処理を行う。ラインバッファ７は、画像データを一時的に記憶する部分であり、汎用のＲＡＭで実現している。
【００１９】
インタフェース回路群８は、インタフェース回路８１と、インタフェース回路８２とを有する。インタフェース回路８１は、外部機器１５０と通信し、インタフェース回路８２は、外部機器１５１と通信する。外部機器１５０、１５１は、ホストコンピュータである。なお、実施例１において、インタフェース回路８１は、ＵＳＢ２．０であり、インタフェース回路８２は、ＬＡＮである。
【００２０】
また、インタフェース回路群８は、ＩＦ検出回路１６に接続される。ＩＦ検出回路１６は、インタフェース回路８１、８２のそれぞれに接続されているインタフェースの種類と通信速度とを検出する。
【００２１】
スキャナコントローラ９は、外部機器１５０からの命令に応じて、スキャナを制御するスキャナコントローラであり、モータドライバ回路１２、内部光源ＯＮ／ＯＦＦ制御回路１０、画像処理回路６等を制御する。
【００２２】
内部光源ＯＮ／ＯＦＦ制御回路１０は、内部光源１１のＯＮ／ＯＦＦを制御する内部光源ＯＮ／ＯＦＦ制御回路である。なお、受光素子として、ＣＣＤ３以外にＣＯＭＳ等を使用するようにしてもよい。
【００２３】
これらのほかに、ＳＣＳＩ、パラレル、ＩＥＥＥ１３９４、無線ＬＡＮ、Ｂｌｕｅｔｏｏｔｈ（登録商標）等のインタフェースが使用される場合もある。
【００２４】
モータドライバ回路１２は、パルスモータ１３を駆動するモータドライバ回路である。
【００２５】
オフセットＲＡＭ１４は、画像処理を行う際のワーキングエリアとして用いられるオフセットＲＡＭである。ＣＣＤラインセンサ３のＲＧＢの３ライン間オフセットの補正用として用いられている。また、オフセットＲＡＭ１４は、シェーディング補正等の各種データの一時記憶も行う。
【００２６】
ガンマＲＡＭ１５は、ガンマカーブを記憶し、ガンマ補正を行うためのガンマＲＡＭである。ＬＣＤ１８は、画像読取装置１００の操作部に表示されるＬＣＤである。
【００２７】
図２は、画像読取装置１００の断面を示す図である。
【００２８】
画像読取装置１００は、枠体２１と、センサユニット２２と、基準軸２３と、動作ベルト２４と、ステッピングモータ２５と、ギア群２６と、基板２７と、ＵＳＢの接続コネクタ２８とを有する。また、画像読取装置１００は、ＬＡＮ接続コネクタ２９と、フラットケーブル３０と、接続用コネクタ３１とを有する。
【００２９】
フラットケーブル３０は、センサユニット２２と基板２７とを接続する。接続用コネクタ３１は、外部電源であるＡＣアダプタの接続用コネクタである。
【００３０】
図３は、画像読取装置１００の外観を示す図である。
【００３１】
画像読取装置１００は、原稿台カバー４１と、保護シート４２と、フィルム読み取り光源部４３と、原稿読み取りユニット４４と、原稿台ガラス４５と、スキャンボタン４６とを有する。また、画像読取装置１００は、原稿位置合わせマーク４７と、フィルムガイド４８と、キャリブレーションエリア４９とを有する。
【００３２】
キャリブレーションエリア４９は、原稿台ガラス４５の裏の黒マークと白マークとを読み取るキャリブレーションエリアである。キャリブレーションは、正確な色読み取りを行うために、色味の基準となる黒シェーディングデータと白シェーディングデータとを生成する処理である。
【００３３】
図４は、実施例１における外部機器としてのホストコンピュータ１５０で実行し、画像読取装置１００を制御するドライバソフトのユーザインタフェースの表示例を示す図である。
【００３４】
図５には、２枚のカードを原稿として、原稿台ガラス４５に載置し、読み取った例を示す。
【００３５】
図４の左半分の前読取画像を表示するプレビューエリアに作成したクロップ枠６１やクロップ枠６２のサイズと、出力解像度６３で設定する解像度とに応じて、スキャン画像のデータサイズを表示するエリア６４を設ける。ここには、そのときのフォーカスクロップであるクロップ枠６１のデータサイズを表示する。フォーカスクロップのクロップ枠は、他のクロップ枠に比べて太く表示されている。
【００３６】
総データサイズの指定エリア６５を設け、ユーザが、任意のデータサイズを指定できるようにする。たとえば、クロップ枠６１、６２のように、同一サイズのクロップを２つ作成し、総データサイズとして、２０ＭＢを指定した場合、１つのクロップのデータ容量が１０ＭＢ以内になる範囲で、解像度を決定してスキャンする。総データサイズが指定エリア６５に入力されない場合、ユーザの指定が無いものとして通常の処理が行われる。
【００３７】
さらに、総データサイズ６５に対するデータサイズを入力した後に、解像度を自動的に計算し、出力解像度表示６３を切り替えることによって、ユーザに対して解像度をわかりやすく表示することができる。
【実施例２】
【００３８】
本発明の実施例２は、画像読取装置１００の読取条件を自動設定するオートモードを実行する実施例である。
【００３９】
図１〜図３に示す画像読取装置１００を用いて、オートモードを行う実施例２について説明する。
【００４０】
オートモードによるスキャンエリア（本読取範囲）検出や原稿種検出等の原稿認識方法については、従来から行われている検出であり、説明は省く。
【００４１】
図５は、実施例２において、オートモードスキャン時に優先する設定を決定するためのダイアログ例を示す図である。
【００４２】
ユーザは、データサイズを優先するか、スキャン時間を優先するかを選択することができる。この設定は、オートモードの実行以前に行われる。
【００４３】
図６は、オートモードの動作を示すフローチャートである。
【００４４】
オートモードを開始（Ｓ１）すると、プレスキャン（前読取）を実行し（Ｓ２）、このプレスキャン実行後に、原稿を認識し、スキャンエリアの検出によって本読取でスキャンする範囲を、原稿種類の検出によって、原稿に適した画像処理や解像度を判定する。その後に、Ｓ４で、優先する項目を判定するときに、図５の設定に基づいて、処理を分岐する。つまり、データサイズが優先されているのか、スキャン時間が優先されているのかに応じて、処理を分岐する。データサイズが優先されていれば、Ｓ５で、ユーザは、総データサイズをどのサイズに収めたいのかを確認する。
【００４５】
図７は、総データサイズの指定を、ユーザが行う場合におけるダイアログ例を示す図である。
【００４６】
総データサイズの設定は、検出された原稿が１つである場合にも、複数である場合にも、有効であり、このデータサイズ以内に収めることができるように、Ｓ６で、スキャン解像度決定処理を行う。Ｓ６での解像度決定処理におけるオプションとして、いくつかの方法が考えられる。
【００４７】
図８は、解像度刻み幅指定ダイアログを示す図である。
【００４８】
１つ目の方法は、図８に示すダイアログを用いて、決定する解像度の刻み幅を指定する方法である。図８に示す解像度指定ダイアログは、解像度を決定するときに、１０ｄｐｉ刻み、１００ｄｐｉ刻み等、切の良い解像度になるように設定することができるので、変倍による時間を短縮することができる。また、図８に示す解像度刻み幅指定ダイアログは、センサの解像度に応じた主走査方向に、切の良い解像度を使用することを指定することができるので、変倍による時間を短縮することができる。
【００４９】
図９は、計算時に優先する設定を指定するダイアログを示す図である。
【００５０】
２つ目の方法は、図９に示すダイアログを用いて、計算時に優先する設定を、指定する方法である。クロップサイズの相関を保持する設定は、複数の原稿を全て同じ解像度で読み取る設定である。この場合のメリットは、原稿のサイズが保持され、また、同じ解像度でスキャンするので、検出した複数の原稿の大部分の範囲を一度スキャンすることによって、スキャンが終了することである。
【００５１】
逆に、各クロップのデータ容量を合わせる設定を選択すると、たとえば、２Ｌ判とＬ判とのように、互いに異なるサイズの原稿を置いた場合にも、それぞれの容量を合わせることができるというメリットがある。この場合、各クロップに応じた解像度で、スキャンする方法と、最大の解像度でスキャンし、他のクロップを縮小変倍する方法、最小の解像度でスキャンし、他のクロップを拡大変倍する方法がある。
【００５２】
図１０は、１クロップ当たりの最大データサイズを指定するためのダイアログを示す図である。
【００５３】
３つ目の方法は、図１０に示すダイアログを用いて、１クロップ当たりの最大データサイズを指定する方法である。これは、１クロップ当たりの最大データサイズを規定し、１枚の画像の上限をつけることによって、スキャン後の画像活用を行い易くするために有効な設定である。
【００５４】
図１１は、スキャン解像度設定時に優先する設定ダイアログである。
【００５５】
４つ目の方法は、図１１に示すダイアログを用いて、スキャン解像度設定時に優先する設定を選択する方法である。これは、最終的に保存する解像度が、センサの基本解像度と異なる場合に、高画質モードが設定されていれば、最終的に必要な解像度よりも上の基本解像度でスキャンし、縮小変倍を行う。最終的に保存する解像度が、センサの基本解像度と異なる場合に、高速モードが設定されていれば、最終的に必要な解像度よりも下の基本解像度でスキャンし、拡大変倍するという設定をするための判定を規定している。
【００５６】
図１２は、実施例２において、総スキャン時間指定ダイアログを示す図である。
【００５７】
Ｓ４でユーザがスキャン時間を優先設定すると、Ｓ１５で、総スキャン時間確認に進む。ここで、図１２に示す総スキャン時間指定ダイアログによるスキャン時間終了までの時間設定を確認してから、Ｓ１６のスキャン設定決定処理に移行する。図１２に示す総スキャン時間指定ダイアログには、詳細設定を設けることによって、スキャン時間を短縮する場合、どの画像処理を優先するかを設定可能である。
【００５８】
図１３は、実施例２において、オートモードの画像処理の詳細を予め設定しておくための詳細設定ダイアログの例を示す図である。
【００５９】
ここで、優先設定がされていない画像処理は、時間短縮が必要であれば、優先的に省略される。たとえばフィルム原稿を読み取る場合、図１３の設定で時間短縮が必要な場合には、褪色補正の処理は省略される。
【実施例３】
【００６０】
実施例２で、総スキャン時間を設定し、スキャンを開始した後に、ネットワークの状況や、画像を受け取る外部機器側の状況によって、当初のスキャン時間よりも時間がかかりそうな場合がある。
【００６１】
実施例３は、総スキャン時間を設定し、スキャンを開始した後に、当初のスキャン時間よりも時間がかかりそうな場合に、スキャンの途中でも、解像度を下げてデータサイズを落として送信するかどうかを、ユーザが選択するダイアログを表示する実施例である。
【００６２】
解像度を落とすことを選択した場合、残り時間以内で送信できる範囲で一番大きい解像度になるようにスキャン画像を変倍し、送信する。また、スキャンをキャンセルする設定と、時間がかかってもこのままスキャンを継続する設定とも選択可能とする。
【実施例４】
【００６３】
実施例１、２では、画像の総データサイズを調整する場合、解像度によって調整する。本発明の実施例４は、ユーザの設定している解像度や、オートモードで判定された原稿種類に応じた解像度を優先してスキャンし、最終的にユーザの望む総データサイズにおさめる方法として、ファイル保存時に圧縮をかける実施例である。
【００６４】
図１４は、データ容量調整方法を指定するダイアログ例を示す図である。
【００６５】
実施例３に加えて、図１４に示すデータ容量調整方法を指定するダイアログ例のように、データ容量を、解像度で調整するか、ファイル保存時の圧縮率で調整するかを、排他的に設定する。画像のデータ内容によって、圧縮後のデータ容量が変わるので、データを何％減らすかに応じて、この削減率に合わせた標準的な圧縮を行い、この圧縮したデータ容量が、ユーザの求める総データ容量よりも大きければ、さらに高圧縮するようにリトライ処理する。
【００６６】
上記実施例によれば、ユーザ設定によるスキャン時、又はオートモードによるスキャン時に、ユーザが重要視するパラメータを選択するので、各パラメータの制限範囲内で、ユーザが最適と考える処理中の負担を決めることができる。
【００６７】
また、上記実施例によれば、不安定要素による条件変動の際の対応を具体的に提示するので、ユーザが操作に迷わず使いやすい。
【図面の簡単な説明】
【００６８】
【図１】本発明の実施例１である画像読取装置１００の構成と外部機器とを示すブロック図である。
【図２】画像読取装置１００の断面を示す図である。
【図３】画像読取装置１００の外観を示す図である。
【図４】実施例１におけるドライバソフトのＵＩ例を示す図である。
【図５】実施例２において、オートモードスキャン時に優先する設定を決定するためのダイアログ例を示す図である。
【図６】オートモードの動作を示すフローチャートである。
【図７】総データサイズの指定を、ユーザが行う場合におけるダイアログ例を示す図である。
【図８】解像度指定ダイアログを示す図である。
【図９】計算時に優先する設定を指定するダイアログを示す図である。
【図１０】１クロップ当たりの最大データサイズを指定するためのダイアログを示す図である。
【図１１】スキャン解像度設定時に優先する設定ダイアログである。
【図１２】実施例２において、総スキャン時間指定ダイアログを示す図である。
【図１３】実施例２において、詳細設定ダイアログの例を示す図である。
【図１４】データ容量調整方法を指定するダイアログ例を示す図である。
【符号の説明】
【００６９】
１００…画像読取装置、
１…原稿、
６…画像処理回路、
８…インタフェース回路群、
９…スキャナコントローラ、
１１…光源、
１８…ＬＣＤ、
１９…ＶＲＡＭ、
６１、６２…クロップ枠、
６３…出力解像度表示、
６４…データサイズ表示、
６５…総データサイズ、
１５０、１５１…外部機器。
【図１】
2008147996.tif 000003
【図２】
2008147996.tif 000004
【図３】
2008147996.tif 000005
【図４】
2008147996.tif 000006
【図５】
2008147996.tif 000007
【図６】
2008147996.tif 000008
【図７】
2008147996.tif 000009
【図８】
2008147996.tif 000010
【図９】
2008147996.tif 000011
【図１０】
2008147996.tif 000012
【図１１】
2008147996.tif 000013
【図１２】
2008147996.tif 000014
【図１３】
2008147996.tif 000015
【図１４】
2008147996.tif 000016